【事件の表示】
　特願２０１４−　４０７０２「起動用プログラム、情報処理装置、および情報処理システム」拒絶査定不服審判事件〔平成２６年　７月　３日出願公開、特開２０１４−１２３９８３、請求項の数（１１）〕について、次のとおり審決する。
【結　論】
　原査定を取り消す。
　本願の発明は、特許すべきものとする。
【理　由】
第１　手続の経緯及び本願発明
１　手続の経緯
　本件出願は、２００８年（平成２０年）１０月１日を国際出願日とする出願である特願２００９−５０８０２５号の一部を平成２１年２月２４日に新たな特許出願とした特願２００９−４１０９７号の一部を、更に平成２４年１２月２５日に新たな特許出願とした特願２０１２−２８１０８６号の一部を、更に平成２６年３月３日に新たな特許出願としたものであって、平成２６年４月１日付けで手続補正がなされ、平成２６年５月２６日付けで手続補正がなされ、平成２７年２月２日付けで拒絶理由の通知がなされ、これに対し、平成２７年４月１３日付けで手続補正がなされたが、平成２７年８月１０日付け（発送日同年８月１８日）で拒絶査定がなされた。
　本件は、上記拒絶査定を不服として平成２７年１１月１８日付けで請求された拒絶査定不服審判である。
 　 
２　本願発明
　本願の請求項１〜１１に係る発明（以下、それぞれの発明を項番を用いて「本願発明１」等という。）は、平成２６年４月１日付け、平成２６年５月２６日付け、平成２７年４月１３日付け手続補正により補正された特許請求の範囲、明細書及び図面の記載からみて、その特許請求の範囲の請求項１〜１１に記載した事項により特定されるとおりのものであるところ、その請求項１〜１１の記載は次のとおりのものである。
 　 
「　【請求項１】
　撮像手段を有し、複数のアプリケーションプログラムを記憶可能であり、かつ、当該アプリケーションプログラムとして当該撮像手段による撮影を行う第１の撮影アプリケーションプログラムが記憶され、さらに、当該第１の撮影アプリケーションプログラムよりも機能が限定された第２の撮影アプリケーションプログラムが予め記憶された情報処理装置のコンピュータにおいて実行される、当該情報処理装置に予め記憶された情報処理プログラムであって、
　前記複数のアプリケーションプログラムを選択的に起動する第１の起動操作を受け付ける第１の起動操作受付手段と、
　前記第１の起動操作が行われた場合、前記複数のアプリケーションプログラムのうち当該第１の起動操作で選択されたアプリケーションプログラムを起動する第１の起動手段と、
　前記複数のアプリケーションプログラムのいずれも起動されていない状態で、前記第１の起動操作とは異なる簡易起動操作によって、前記第２の撮影アプリケーションプログラムを起動する簡易起動手段として前記コンピュータを機能させる、起動用プログラム。
　　【請求項２】
　前記第２の撮影アプリケーションプログラムが起動後に撮影操作および保存操作がなされると、前記第２の撮影アプリケーションプログラムはユーザ操作なしに起動状態が解除される、請求項１に記載の起動用プログラム。
　　【請求項３】
　前記複数のアプリケーションプログラムのうちいずれかのアプリケーションプログラムが起動されている状態において、前記簡易起動操作による前記第２の撮影アプリケーションプログラムの起動は不能化される、請求項１または２に記載の起動用プログラム。
　　【請求項４】
　前記第２の撮影アプリケーションプログラムが起動されている状態において、前記複数のアプリケーションプログラムに含まれるアプリケーションプログラムの起動は不能化される、請求項１〜３のいずれか１項記載の起動用プログラム。
　　【請求項５】
　前記第２の撮影アプリケーションプログラムが起動されている状態において、ユーザのタッチ操作に応答して、前記第２の撮影アプリケーションプログラムに代えて、前記第１の撮影アプリケーションプログラムが起動される、請求項１〜４のいずれか１項に記載の起動用プログラム。
　　【請求項６】
　前記第１の起動操作受付手段は、タッチパネルを介して前記第１の起動操作を受け付け、
　前記簡易起動操作は、前記情報処理装置に設けられたキーに対する操作である、請求項１〜５のいずれか１項に記載の起動用プログラム。
　　【請求項７】
　前記簡易起動操作は、前記情報処理装置の側面に設けられたキーに対する操作である、請求項１〜５のいずれか１項に記載の起動用プログラム。
　　【請求項８】
　前記簡易起動操作は、撮影操作と同じ操作である、請求項１〜５のいずれか１項に記載の起動用プログラム。
　　【請求項９】
　前記第１の撮影アプリケーションプログラムでは、過去に撮影されて保存されている画像のすべてが閲覧可能であり、
　前記第２の撮影アプリケーションプログラムでは、前記第２の撮影アプリケーションプログラムにおいて前記撮像手段により撮影された画像のみが閲覧可能である、請求項１〜８のいずれか１項に記載の起動用プログラム。
　　【請求項１０】
　撮像手段と、
　複数のアプリケーションプログラムを記憶可能な記憶手段とを備え、前記記憶手段には、当該アプリケーションプログラムとして当該撮像手段による撮影を行う第１の撮影アプリケーションプログラムが記憶され、さらに、当該第１の撮影アプリケーションプログラムよりも機能が限定された第２の撮影アプリケーションプログラムが記憶されており、
　前記複数のアプリケーションプログラムを選択的に起動する第１の起動操作を受け付ける第１の起動操作受付手段と、
　前記第１の起動操作が行われた場合、前記複数のアプリケーションプログラムのうち当該第１の起動操作で選択されたアプリケーションプログラムを起動する第１の起動手段と、
　前記複数のアプリケーションプログラムのいずれも起動されていない状態で、前記第１の起動操作とは異なる簡易起動操作によって、前記第２の撮影アプリケーションプログラムを起動する簡易起動手段とを備える、情報処理装置。
　　【請求項１１】
　情報処理システムであって、
　撮像手段を含む情報処理装置と、
　前記情報処理装置に装着される１つまたは複数のアプリケーションを記憶可能な記憶装置とを備え、
　前記情報処理システムは、複数のアプリケーションプログラムを記憶可能であり、かつ、当該アプリケーションプログラムとして当該撮像手段による撮影を行う第１の撮影アプリケーションプログラムが記憶され、さらに、当該第１の撮影アプリケーションプログラムよりも機能が限定された第２の撮影アプリケーションプログラムが予め記憶されており、
　前記情報処理装置は、
　　前記複数のアプリケーションプログラムを選択的に起動する第１の起動操作を受け付ける第１の起動操作受付手段と、
　　前記第１の起動操作が行われた場合、前記複数のアプリケーションプログラムのうち当該第１の起動操作で選択されたアプリケーションプログラムを起動する第１の起動手段と、
　　前記複数のアプリケーションプログラムのいずれも起動されていない状態で、前記第１の起動操作とは異なる簡易起動操作によって、前記第２の撮影アプリケーションプログラムを起動する簡易起動手段とを含む、情報処理システム。」
　　
３　本願発明１の分説
　本願発明１を分説すると次のとおりである。
　　
（本願発明１）
（Ａ）撮像手段を有し、複数のアプリケーションプログラムを記憶可能であり、かつ、当該アプリケーションプログラムとして当該撮像手段による撮影を行う第１の撮影アプリケーションプログラムが記憶され、さらに、当該第１の撮影アプリケーションプログラムよりも機能が限定された第２の撮影アプリケーションプログラムが予め記憶された情報処理装置のコンピュータにおいて実行される、当該情報処理装置に予め記憶された情報処理プログラムであって、
（Ｂ-1）前記複数のアプリケーションプログラムを選択的に起動する第１の起動操作を受け付ける第１の起動操作受付手段と、
（Ｂ-2）前記第１の起動操作が行われた場合、前記複数のアプリケーションプログラムのうち当該第１の起動操作で選択されたアプリケーションプログラムを起動する第１の起動手段と、
（Ｂ-3）前記複数のアプリケーションプログラムのいずれも起動されていない状態で、前記第１の起動操作とは異なる簡易起動操作によって、前記第２の撮影アプリケーションプログラムを起動する簡易起動手段として前記コンピュータを機能させる、
（Ｂ）起動用プログラム。
　　
（（Ａ）、（Ｂ-1）〜（Ｂ-3）、（Ｂ）は、当審で付与した。以下各構成要件を「構成要件Ａ」等という。）
　　
第２　原査定の理由の概要 
 　本願の請求項１〜８、１０、１１に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
 　　　　　　　　　　　　　　　記 
　引用文献１：特開２００５−３０３５６１号公報
　引用文献２：本田  雅樹，ｉ  ＭＯＤＥ  ｆａｎ  Ｓｐｅｃｉａｌ  Ａｄｄｉｔｉｏｎ  Ｎ５０４ｉＳ便利機能操作マニュアル  i MODE f，ｉＭＯＤＥ  ＦａＮ  １２／２０号，日本，（株）毎日コミュニケーションズ，２００２年１２月２０日，第９巻　第３５号，第６、１１，１６頁
 　　 
　引用文献１の「カメラ部１１」（段落［００１５］等）は、本願請求項１に係る発明における「撮像手段」に相当する。
　引用文献１の「ＲＯＭ２４」（段落［００１７］）には、「携帯電話機能等で使用するプログラム」が記録されており、「携帯電話機能等で使用するプログラム」が複数のアプリケーションプログラムとまでは記載されていないが、この「携帯電話機能等」のプログラムを、複数のアプリケーションプログラムとすることは当業者が容易に想到し得たことである。
　また、「撮影モード」のプログラムは、本願請求項１に係る発明における「第１の撮影アプリケーションプログラム」に相当し、「割り込み撮影モード」（段落［００３３］）のプログラムは「静止画のみを記録する」から、本願請求項１に係る発明における「第２の撮影アプリケーションプログラム」に相当する。
　さらに、引用文献１の「モード切替スイッチ２８」（段落［００１８］）は、本願請求項１に係る発明における「第１の起動操作受付手段」に相当し、モードが選択されると「撮影モード」（段落［００２８］等）、「受信モード」（段落［００２９］等）、「再生モード」（段落［００３５］等）が起動されているから本願請求項１に係る発明における「第１の起動手段」に相当する構成も認められる。
　そして、引用文献１において「携帯電話機能等で使用するプログラム」としての複数のアプリケーションプログラムのいずれも起動されていない状態で、「レリーズボタン２９」（段落［００３３］等）によって、割り込み撮影モードが起動されるから本願請求項１に係る発明における「簡易起動手段」に相当する構成も認められる。
　よって、本願請求項１に係る発明は、引用文献１に記載された発明から当業者が容易になし得た発明である。
　また、引用文献２記載の発明と本願請求項１に係る発明と比較すると、引用文献２の「カメラモード」は、ワンアクションの時も同じアプリケーションプログラムであると認められる点で相違する。
　一方、引用文献１には、撮像指示操作があった場合には機能が限定された撮像を行う技術が記載されており、ワンアクションでカメラモードにする引用文献２記載のものに引用文献１記載の技術を適用することは当業者が容易になし得たことである。
　　
第３　引用文献の記載事項及び引用文献に記載された発明
１　引用文献１
（１）引用文献１の記載事項
　原査定における拒絶の理由に引用された特開２００５−３０３５６１号公報（以下「引用文献１」という。）には、「移動体端末装置」（発明の名称）に関し、図面と共に次に掲げる事項が記載されている（下線は当審が付与した。）。
　　
「【０００１】
　本発明は、電子カメラと、例えばテレビチューナーなどの動画配信受信機能とを備えた携帯型の移動体端末装置に関するものである。
　　
「【００１５】
　本発明の
携帯電話機
ＣＣＤセンサ１４で撮像し
【００１６】
　ＣＤＳ／ＡＤ回路１５でコンバートしたデジタルの画像データは、第１バスライン１８に送られる。第１バスライン１８には、画像処理部１９、圧縮伸長部２０、ＩＦコントローラ２１、及びメインＣＰＵ１７などが接続されており、画像データは、メインＣＰＵ１７、及びＬＣＤドライバ２２を介してＬＣＤパネル２３にスルー表示として表示される。これらＣＤＳ／ＡＤ回路１５、画像処理部１９、圧縮伸長部２０、ＩＦコントローラ２１、及び、ＬＣＤドライバ２２は、
メインＣＰＵ１７により駆動が統括的に制御されている
【００１７】
　
メインＣＰＵ１７には、ＲＯＭ２４
ＲＯＭ２４は、メインＣＰＵ１７、及び、
サブＣＰＵ２７の動作を司る、撮影モード、テレビ放送受信モード（以下、「受信モード」と称す）、携帯電話機能等で使用するプログラム、
動画データや
画像データを再生するプログラム
が記憶されている
【００１８】
　第１ＳＤＲＡＭ（Synchronous DRAM）２５は、メインＣＰＵ１７の外部クロックに同期するメインメモリであり、一部が撮像して得た画像データを記憶しておく画像用メモリ、及び表示用メモリとして使用される。
操作部２６には、モードを切り換えるモード切換スイッチ２８と、レリーズボタン２９とを備えている
モード切換スイッチ２８は、撮影モード２８ａ、テレビ放送受信モード（以下、「受信モード」と称す）２８ｂ、及び、再生モード２８ｃとのボタンで構成され
何れかのボタンを操作することでモードが択一的に選択される
撮影モードには、静止画像を撮影する静止画記録モードと、ムービー（動画）を記録する動画記録モードとがある
　　
「【００２８】
　メインＣＰＵ１７は、操作部２６からのモード選択信号に基づいて撮像した画像データ又は受信した動画データのうちの何れか一方をＬＣＤパネル２３に表示するように制御する。
撮影モードを選択すると、次に静止画記録モードと動画記録モードとを選択する画面がＬＣＤパネル２３に表示される
静止画記録モードを選択すると、シャッタレリーズに応答して得た静止画の画像データを圧縮して第１メモリカード３２に記録する
動画記録モードを選択すると、動画データを圧縮して第１メモリカード３２に記録する
【００２９】
　受信モードを選択すると、チャンネル選択画面がＬＣＤパネル２３に表示される。この画面でチャンネルを選択することでそのチャンネルのテレビ放送がＬＣＤパネル２３に表示される。
【００３０】
　ところで、テレビ放送を受信中又は録画中に撮影したい場合がある。この場合、テレビ放送をＬＣＤパネル２３に表示しているため、シャッタチャンスを逃す結果となる。
【００３１】
　そこで、図２に示すように、
テレビ放送を表示中にレリーズボタン２９の半押し操作を行うと、これに応答してメインＣＰＵ１７は、撮影モードを実行し、ＣＣＤセンサ１４で撮像した画像をＬＣＤパネル２３に表示するように
制御する
テレビ放送を鑑賞中に割り込んで撮影を行う撮影モードを「割り込み撮影モード」と称す
【００３２】
　割り込み撮影モードを実行中は、テレビ放送の表示が無効となる。このため、テレビ放送表示中から割り込み撮影モードに変えた場合、その後のテレビ放送のシーンを逃すことになる。そこで、割り込み撮影モードを実行中には、先に受信していたテレビ放送を録画するようにしている。つまり、メインＣＰＵ１７は、ＬＣＤパネル２３を撮影画像に切り換えることに応答して受信中のテレビ放送を第２メモリカード４８に記録するようにサブＣＰＵ２７を制御する。このため、メインＣＰＵ１７はスルー画像をＬＣＤパネル２３に表示する制御を行いながら、サブＣＰＵ２７はその時点で受信中のテレビ放送を録画するように携帯・放送送受信部１２を制御する。
【００３３】
　
割り込み撮影モードでは、静止画像のみを記録するモードとなる
【００３４】
　画像を記録した後には、再び受信モードに自動的に戻って受信中のテレビ放送をＬＣＤパネル２３に表示する。このとき、テレビ放送の録画も終了する。なお、録画データとしては、動画データ以外に、録画開始の日時及び終了日時などのタイムスタンプや、チャンネル番号などの情報も一緒に記録するのが、後から録画データを検索し易いから望ましい。
【００３５】
　再生モードを選択すると、撮影データと受信データとの選択画面がＬＣＤパネル２３に表示される。撮影データを選択すると、第１メモリカード３２に記録した静止画像データや動画データの一覧がＬＣＤパネル２３に表示される。そして、その一覧表示から所望するデータを操作部の入力により指定することで、指定したデータの画像がＬＣＤパネル２３に再生される。受信モードを選択すると、第２メモリカード４８に記録した動画データの一覧がＬＣＤパネル２３に表示される。そして一覧表示から所望するデータを指定することで指定したデータの画像がＬＣＤパネル２３に再生される。」
　　
（２）引用文献１に記載された発明
（ア）引用文献１には、撮影モード、受信モード、再生モード（段落【００１８】）を有する携帯電話機（段落【００１５】）が記載され、モード切換スイッチによりモードが切り換えられる（段落【００１８】）。
（イ）また、携帯電話機は、ＣＣＤセンサで撮像する（段落【００１５】）。
（ウ）これらのモードは、ＲＯＭに記憶されたプログラムによりメインＣＰＵ及びサブＣＰＵが行うものである（段落【００１７】）。
（エ）撮影モードには、静止画記録モードと動画記録モードがある（段落【００２８】）。
（オ）そして、割り込み撮影モードは、テレビ放送を表示中にレリーズボタン２９の半押し操作を行うと、メインＣＰＵが実行するものであり（段落【００３１】）、静止画像のみを記録するモードである（段落【００３３】）。このモードも記録されたプログラムによりメインＣＰＵが行うものと認められる。
　　
　ここで、引用文献１に記載された発明として、携帯電話機のＣＰＵにおいて実行されるプログラムを発明として認定する。
　　
　上記（イ）より、携帯電話機は、ＣＣＤを有している。
　上記（ウ）より、携帯電話機は、複数のモードに対応した複数のプログラムが記録可能である。
　上記（ウ）、（エ）より、携帯電話機は、撮像モードにおいてＣＣＤによる静止画又は動画の撮影を行う撮影プログラムが記録されている。
　上記（オ）より、携帯電話機は、割り込み撮影モードにおいて静止画の撮影を行う割り込み撮影プログラムが記録されている。
　上記（ア）より、切り換えスイッチによりモードが切り換えられる。
　上記（ア）、（ウ）より、切り換えスイッチにより選択されたモードのプログラムを実行する。
　上記（オ）より、テレビ放送を表示中にレリーズボタンの半押し操作を行うと、割り込み撮影モードのプログラムを実行する。
　　
　以上まとめると、引用文献１には、次の発明（以下「引用発明」という。）が記載されている認められる。
　　
（引用発明）
（ａ）ＣＣＤを有し、複数のモードに対応した複数のプログラムを記憶可能であり、かつ当該プログラムとして撮影モードにおける当該ＣＣＤによる静止画又は動画の撮影を行う撮影プログラムが記録され、さらに、割り込み撮影モードにおける静止画の撮影を行う割り込み撮影プログラムが記録された携帯電話機のＣＰＵにおいて実行される、当該携帯電話機に予め記憶されたプログラムであって、
（ｂ-1）切り換えスイッチによりモードが切り換えられ、
（ｂ-2）切り換えスイッチにより選択されたモードのプログラムを実行し、
（ｂ-3）テレビ放送を表示中にレリーズボタンの半押し操作を行うと、割り込み撮影モードのプログラムを実行する、
（ｂ）プログラム。
　　
　なお、（ａ）、（ｂ-1）〜（ｂ-3）、（ｂ）は、構成を識別するために付与した。以下各構成を「構成ａ」等という。
　　
２　引用文献２
　原査定における拒絶の理由に引用された「本田  雅樹，ｉ  ＭＯＤＥ  ｆａｎ  Ｓｐｅｃｉａｌ  Ａｄｄｉｔｉｏｎ  Ｎ５０４ｉＳ便利機能操作マニュアル  i MODE f，ｉＭＯＤＥ  ＦａＮ  １２／２０号，日本，（株）毎日コミュニケーションズ，２００２年１２月２０日，第９巻　第３５号，第６，１１，１６頁」（以下「引用文献２」という。）には、携帯電話Ｎ５０４ｉＳにおいて、メニュー一覧からカメラを選択し、カメラモードになること（６，１６頁）、本体の側面の「メモ／確認」ボタンを長押しすることでカメラモードになること（６頁）、印刷されている電話番号やホームページのＵＲＬをカメラで撮影すると文字データとして読み込める機能があること（１１頁）、が記載されている。
　当該携帯電話は、カメラモードがあるから、撮像手段を有することは明らかである。また、携帯電話はＣＰＵを有し、プログラムにより動作するものである。そして、当該携帯電話は、上記のようにカメラモードや、印刷されている電話番号やホームページのＵＲＬをカメラで撮影すると文字データとして読み込める機能を有しており、これらカメラモードや機能は、プログラムによりＣＰＵにおいて実行されるものと認められる。
　　
　以上より、引用文献２には、次の発明（以下「引用文献２発明」という。）が記載されていると認められる。
　　
（引用文献２発明）
　撮像手段を有し、複数のプログラムを記憶可能であり、かつ、当該プログラムとして当該撮像手段による撮影を行う撮影プログラムが記憶された情報処理装置のＣＰＵにおいて実行される、当該情報処理装置に予め記憶された情報処理プログラムであって、
　前記複数のプログラムを選択し決定すると、選択されたプログラムを起動し、
　本体の側面の「メモ／確認」ボタンを長押しすることで撮影プログラムを起動する
　プログラム。
　　
第４　対比・判断
１　本願発明１
（１）対比
　本願発明１と引用発明とを対比する。
　　
ア　構成要件Ａと構成ａとを対比する。
　構成ａの「ＣＣＤ」、「プログラム」、「ＣＰＵ」は、各々、構成要件Ａの「撮像手段」、「アプリケーションプログラム」、「コンピュータ」に相当する。構成ａの「携帯電話機」は、ＣＰＵを有し、プログラムを実行するものであるから、「情報処理装置」といえ、また、構成ａの「プログラム」は「情報処理プログラム」といえる。
　構成ａの「撮影プログラム」は、静止画又は動画の撮影を行うプログラムであり、「割り込み撮影プログラム」は、静止画の撮影を行うプログラムであるから、「撮影プログラム」よりも機能が限定されたプログラムといえ、さらに、「撮影プログラム」は「第１の撮影アプリケーションプログラム」ともいえ、「割り込み撮影プログラム」は「第２の撮影アプリケーションプログラム」ともいえる。
　したがって、本願発明１と引用発明とは、「撮像手段を有し、複数のアプリケーションプログラムを記憶可能であり、かつ、当該アプリケーションプログラムとして当該撮像手段による撮影を行う第１の撮影アプリケーションプログラムが記憶され、さらに、当該第１の撮影アプリケーションプログラムよりも機能が限定された第２の撮影アプリケーションプログラムが予め記憶された情報処理装置のコンピュータにおいて実行される、当該情報処理装置に予め記憶された情報処理プログラム」である点で一致する。
　　
イ　構成要件Ｂ-1と構成ｂ-1とを対比する。
　構成ｂ-1は、「切り換えスイッチによりモードが切り換えられ」であって、切り換えスイッチの操作は、モードに対応したプログラムを選択的に起動する操作といえ、「情報処理プログラム」としては、「コンピュータ」に相当する「ＣＰＵ」を「起動操作を受け付ける」「起動受付手段」として機能させているといえる。この「起動操作」、「機能受付手段」は、「第１の起動操作」、「第１の起動操作受付手段」ともいえる。
　したがって、本願発明１と引用発明とは、「前記複数のアプリケーションプログラムを選択的に起動する第１の起動操作を受け付ける第１の起動操作受付手段」として前記コンピュータを機能させる点で一致する。
　　
ウ　構成要件Ｂ-2と構成ｂ-2とを対比する。
　構成ｂ-2は、「切り換えスイッチにより選択されたモードのプログラムを実行し」であって、「選択されたモードのプログラム」を起動しているといえる。
　したがって、本願発明１と引用発明とは、「前記第１の起動操作が行われた場合、前記複数のアプリケーションプログラムのうち当該第１の起動操作で選択されたアプリケーションプログラムを起動する第１の起動手段」として前記コンピュータを機能させる点で一致する。
　　
エ　構成要件Ｂ-3と構成ｂ-3とを対比する。
　構成ｂ-3の「レリーズボタンの半押し操作」は、「前記第１の起動操作とは異なる簡易起動操作」といえる。
　また、構成ｂ-3の「レリーズボタンの半押し操作を行うと、割り込み撮影モードのプログラムを実行する」は、「前記第１の起動操作とは異なる簡易起動操作によって、前記第２の撮影アプリケーションプログラムを起動する」といえる。
　したがって、本願発明１と引用発明とは、「前記第１の起動操作とは異なる簡易起動操作によって、前記第２の撮影アプリケーションプログラムを起動する簡易起動手段」として前記コンピュータを機能させる点で共通する。
　しかしながら、本願発明１においては、「前記複数のアプリケーションプログラムのいずれも起動されていない状態で、」前記第２の撮影アプリケーションプログラムを起動する簡易起動手段として前記コンピュータを機能させるのに対し、
　引用発明においては、「テレビ放送を表示中に」前記第２の撮影アプリケーションプログラムを起動する簡易起動手段として前記コンピュータを機能させる点で相違する。
　　
オ　構成要件Ｂと構成ｂとを対比する。
　上記イ〜エのとおり、引用発明における「プログラム」も「起動用プログラム」といえる。
　したがって、本願発明１と引用発明とは、「起動用プログラム」として、一致する。
　　
（２）一致点、相違点
　以上より、本願発明１と引用発明との一致点、相違点は、次のとおりである。
　　
（一致点）
　撮像手段を有し、複数のアプリケーションプログラムを記憶可能であり、かつ、当該アプリケーションプログラムとして当該撮像手段による撮影を行う第１の撮影アプリケーションプログラムが記憶され、さらに、当該第１の撮影アプリケーションプログラムよりも機能が限定された第２の撮影アプリケーションプログラムが予め記憶された情報処理装置のコンピュータにおいて実行される、当該情報処理装置に予め記憶された情報処理プログラムであって、
　前記複数のアプリケーションプログラムを選択的に起動する第１の起動操作を受け付ける第１の起動操作受付手段と、
　前記第１の起動操作が行われた場合、前記複数のアプリケーションプログラムのうち当該第１の起動操作で選択されたアプリケーションプログラムを起動する第１の起動手段と、
　前記第１の起動操作とは異なる簡易起動操作によって、前記第２の撮影アプリケーションプログラムを起動する簡易起動手段として前記コンピュータを機能させる、起動用プログラム。
　　
（相違点）
　本願発明１においては、「前記複数のアプリケーションプログラムのいずれも起動されていない状態で、」前記第２の撮影アプリケーションプログラムを起動する簡易起動手段として前記コンピュータを機能させるのに対し、
　引用発明においては、「テレビ放送を表示中に」前記第２の撮影アプリケーションプログラムを起動する簡易起動手段として前記コンピュータを機能させる点
　　
（３）判断
　引用発明は、「テレビ放送を表示中」、すなわち、アプリケションプログラムが起動されている状態で、前記第２の撮影アプリケーションプログラムを起動する簡易起動手段として前記コンピュータを機能させるものである。したがって、引用発明は、「アプリケションプログラムが起動されている状態」を前提とするものである。
　引用発明から出発して本願発明１に到達するには、引用発明における「アプリケションプログラムが起動されている状態」である前提に代えて、引用発明を「前記複数のアプリケーションプログラムのいずれも起動されていない状態」にしなければならない。
　引用文献２発明は、『本体の側面の「メモ／確認」ボタンを長押しすることで撮影プログラムを起動する』ものであるが、引用発明に引用文献２発明を適用しても、引用発明における「アプリケションプログラムが起動されている状態」である前提に代えて、引用発明を「前記複数のアプリケーションプログラムのいずれも起動されていない状態」にすることには到達しない。
　また、引用発明における「アプリケションプログラムが起動されている状態」である前提に代えて、引用発明を「前記複数のアプリケーションプログラムのいずれも起動されていない状態」にする理由を発見しない。
　したがって、本願発明１は、引用発明に基づいて、当業者が容易に発明できたものとは認められない。
　　
　さらに、引用文献２発明から出発して本願発明１に到達できるか否か検討するに、引用文献２発明は、本願発明１の「第１の撮影アプリケーションプログラム」に相当する「撮影プログラム」しかなく、「第１の撮影アプリケーションプログラムよりも機能が限定された第２の撮影アプリケーションプログラムが予め記憶された」ものではない。
　ここで、引用文献２発明から出発して本願発明１に到達するには、本願発明１の「前記第１の起動操作とは異なる簡易起動操作」に相当する「本体の側面の「メモ／確認」ボタンを長押しすること」で「撮影プログラム」起動することに代えて「第１の撮影アプリケーションプログラムよりも機能が限定された第２の撮影アプリケーションプログラム」を起動するようにしなければならない。
　しかしながら、「本体の側面の「メモ／確認」ボタンを長押しすること」で起動する「撮影プログラム」を機能が限定された撮像プログラムにする理由を発見しない。
　したがって、本願発明１は、引用文献２発明に基づいて、当業者が容易に発明できたものとも認められない。
　　
　よって、本願発明１は、当業者が引用文献１、引用文献２に記載された発明に基づいて容易に発明をすることができたものとは認められない。
　　
２　本願発明２〜９について
　本願発明２〜９は、請求項１を直接または間接的に引用しており、上記１の本願発明１についてと同じ理由で、引用文献１、引用文献２に記載された発明に基づいて当業者が容易に発明することができたものとは認められない。
　　
３　本願発明１０、１１について
　本願発明１０は、「起動用プログラム」である本願発明１を「装置」の発明として、「情報処理装置」としたものであり、本願発明１１は、「情報処理システム」としたものである。上記１と同様な「相違点」があり、上記１のとおり、その「相違点」を克服することはできないから、本願発明１０、１１は、引用文献１、引用文献２に記載された発明に基づいて当業者が容易に発明することができたものとは認められない。
　　
第５　むすび
　以上のとおり、本願の請求項１〜１１に係る発明は、引用文献１、引用文献２に記載された発明に基づいて当業者が容易に発明をすることができたものとは認められない。
　　
　また、他に本願を拒絶すべき理由を発見しない。
　　
　よって、結論のとおり審決する。